(57)【特許請求の範囲】
【請求項１】
躯体の外側に配設される複数の断熱パネルの端部を保持するとともに、断熱パネル同士の間を気密させる建築物の外壁における断熱パネルの取り付け具であって、
前記躯体に固定されるベース板と、該ベース板から外方へ突出される一対の側壁部を有する固定部とを有し、該固定部の両側部に、それぞれ前記断熱パネルの端部が当接された状態に配設される樹脂製の断熱パネル保持材と、
該断熱パネル保持材の固定部に取り付けられてそれぞれの前記断熱パネルの端部における外面側に当接するカバー部と、該カバー部の前記断熱パネルとの当接面に、長手方向へわたって設けられて前記断熱パネルの表面に密着する気密材とを有した樹脂製のカバー材とを具備することを特徴とする建築物の外壁における断熱パネルの取り付け具。
【請求項２】
躯体の外側に配設される複数の断熱パネルの端部を保持するとともに、断熱パネル同士の間を気密させる建築物の外壁における断熱パネルの取り付け具であって、
前記躯体に固定されるベース板と、該ベース板から外方へ突出される固定部とを有し、該固定部の両側部に、それぞれ前記断熱パネルの端部が当接された状態に配設される樹脂製の断熱パネル保持材と、
該断熱パネル保持材の固定部に取り付けられてそれぞれの前記断熱パネルの端部における外面側に当接するカバー部と、該カバー部の前記断熱パネルとの当接面に、長手方向へわたって設けられて前記断熱パネルの表面に密着する気密材とを有した樹脂製のカバー材とを具備し、
前記断熱パネルには、前記躯体への取り付け面に複数の突起が形成されてこれら突起間が溝部とされ、前記断熱パネル保持材の固定部には、この固定部を介して配設された断熱パネルの溝部同士を連通させる連通孔が形成されていることを特徴とする建築物の外壁における断熱パネルの取り付け具。
【請求項３】
前記固定部は、一対の側壁部を有することを特徴とする請求項２記載の建築物の外壁における断熱パネルの取り付け具。
【請求項４】
前記固定部には、該側壁部同士の間に断熱性を有する充填材が充填されていることを特徴とする請求項１または３に記載の建築物の外壁における断熱パネルの取り付け具。
【請求項５】
前記側壁部には、その先端部に、長手方向へわたって係合溝が形成され、前記カバー材のカバー部には、前記係合溝に係合可能な係止突条が形成されていることを特徴とする請求項１、３、４のいずれかに記載の建築物の外壁における断熱パネルの取り付け具。
【請求項６】
前記断熱パネルの角部が合わさる部分における前記カバー材は、前記角部を覆うカバー部と、互いに直交する方向に形成されて、前記断熱パネル同士の間にて直交する断熱パネル保持材の固定部にそれぞれ係合可能な係止突条とを有する角部用カバー材とされていることを特徴とする請求項１〜５のいずれかに記載の建築物の外壁における断熱パネルの取り付け具。
【請求項７】
前記固定部には、その両側部に、前記断熱パネルの端部へ密着する密着片が長手方向へわたって設けられていることを特徴とする請求項１〜６のいずれか１項記載の建築物の外壁における断熱パネルの取り付け具。
【請求項８】
躯体の外側に複数の断熱パネルが配設されてなる建築物の外壁構造であって、
ベース板と、複数の連通孔が形成され、前記ベース板から外方へ突出された固定部とを有した樹脂製の断熱パネル保持材が、前記ベース板を躯体に固定することにより取り付けられ、該断熱パネル保持材の前記固定部の両側部に、前記躯体への取り付け面側に複数の突起が形成されてこれら突起間が溝部とされた断熱パネルがその端部を前記固定部に当接した状態に配設され、前記断熱パネルとの当接面側に気密材が設けられたカバー部を有する樹脂製のカバー材が前記断熱パネル保持材の固定部に固定され、該カバー材の外面側に通気胴縁を介して外壁板が固定され、
前記断熱パネルの躯体への取り付け面側に内部通気層が形成され、前記断熱パネルと前記外壁板との間に外部通気層が形成されていることを特徴とする建築物の外壁構造。
【請求項９】
前記建築物のコーナー部分には、そのコーナーの角度に対応した角度に屈曲されかつ前記躯体への取り付け面側に複数の突起が形成されてこれら突起間が溝部とされたコーナー用断熱パネルが配設され、該コーナー用断熱パネルの両側端部が前記取り付け具の前記断熱パネル保持材と前記カバー材とによって保持されていることを特徴とする請求項８記載の建築物の外壁構造。
【請求項１０】
請求項１記載の建築物の外壁における断熱パネルの取り付け具のベース板が、建築物の躯体に固定され、該断熱パネル保持材の前記固定部の両側部に、断熱パネルがその端部を前記固定部に当接した状態に配設されて、躯体の外側に複数の断熱パネルが配設し、かつ、前記固定部の一対の側壁部間に釘が打ち込まれて取り付け具の外方に固定する部材が躯体に固定されていることを特徴とする建築物の外壁構造。
【発明の詳細な説明】
【０００１】
【発明の属する技術分野】
この発明は、周囲が断熱パネルによって覆われた建築物の外壁における断熱パネルの取り付け具及び外壁構造に関するものである。
【０００２】
【従来の技術】
従来より、断熱材としては、繊維系断熱材あるいは板状に成形した断熱パネルが用いられ、繊維系断熱材の場合は、躯体内に充填し、断熱パネルの場合は、躯体の外側に、釘・ビス・タッカー等によって貼り付けていた。
さらに、近年では、建築物の内側と外側とを完全に気密させるために、断熱材の内側に気密シートを貼り付けることが行われている。
【０００３】
【発明が解決しようとする課題】
ところで、上記繊維系断熱材にあっては、躯体内に充填するものであるので、その施工作業に極めて多大な手間を要するという問題がある。
断熱パネルの場合、躯体に貼り付けるものでは、繊維系断熱材と比較して、その施工作業が容易であるが、釘によって躯体へ直接打ち付けるものであるため、この釘を介して内部と外部との間で熱が伝達してしまうという問題があり、さらには、この釘が内部と外部との温度差により、結露してしまい、躯体等へ悪影響を与えてしまうという問題があった。また、断熱パネルの内外を気密させる場合、これら断熱パネルからなる壁部の内面側に気密シートを敷設していたが、この気密シートの敷設に多大な手間を要するとともに、梁や間仕切り部分にて、気密シートを切断せざるを得ず、このため、良好な気密性が得ずらいという問題があった。
【０００４】
この発明は、上記事情に鑑みてなされたもので、極めて容易に、良好な断熱性及び気密性を得ることが可能な建築物の外壁における断熱パネルの取り付け具及び外壁構造を提供することを目的としている。
【０００５】
【課題を解決するための手段】
上記目的を達成するために、請求項１記載の建築物の外壁における断熱パネルの取り付け構造は、躯体の外側に配設される複数の断熱パネルの端部を保持するとともに、断熱パネル同士の間を気密させる建築物の外壁における断熱パネルの取り付け具であって、前記躯体に固定されるベース板と、該ベース板から外方へ突出される固定部とを有し、該固定部の両側部に、それぞれ前記断熱パネルの端部が当接された状態に配設される樹脂製の断熱パネル保持材と、該断熱パネル保持材の固定部に取り付けられてそれぞれの前記断熱パネルの端部における外面側に当接するカバー部と、該カバー部の前記断熱パネルとの当接面に、長手方向へわたって設けられて前記断熱パネルの表面に密着する気密材とを有した樹脂製のカバー材とを具備することを特徴としている。
【０００６】
つまり、躯体に固定した樹脂製の断熱パネル保持材の固定部の両側部に断熱パネルの端部を当接させて配設した状態にて、断熱パネル保持材の固定部へ樹脂製のカバー材を取り付けることにより、極めて容易に、断熱パネルが、その端部が取り付け具によって保持された状態に取り付けられる。
また、断熱パネルの端部が固定部の両側部にそれぞれ当接されるとともに、カバー材の断熱パネルとの当接面に気密材が設けられているので、取り付け具と断熱パネルとの間の気密状態が確実に確保される。
また、固定部が一対の側壁部から構成されていることで、この側壁部間にて釘を打ち込んで、取り付け具の外方に固定する部材を躯体へ固定させることが可能となる。
【０００７】
請求項２記載の断熱パネルの取り付け具は、躯体の外側に配設される複数の断熱パネルの端部を保持するとともに、断熱パネル同士の間を気密させる建築物の外壁における断熱パネルの取り付け具であって、
前記躯体に固定されるベース板と、該ベース板から外方へ突出される固定部とを有し、該固定部の両側部に、それぞれ前記断熱パネルの端部が当接された状態に配設される樹脂製の断熱パネル保持材と、
該断熱パネル保持材の固定部に取り付けられてそれぞれの前記断熱パネルの端部における外面側に当接するカバー部と、該カバー部の前記断熱パネルとの当接面に、長手方向へわたって設けられて前記断熱パネルの表面に密着する気密材とを有した樹脂製のカバー材とを具備し、
前記断熱パネルは、前記躯体への取り付け面に複数の突起が形成されてこれら突起間が溝部とされ、前記断熱パネル保持材の固定部には、この固定部を介して配設された断熱パネルの溝部同士を連通させる連通孔が形成されていることを特徴としている。
このように、取り付け具によって躯体の外方に配設されて保持された断熱パネルの躯体側への取り付け面に形成された溝部同士が、断熱パネル保持材の固定部に形成された連通孔を介して互いに連通されるので、断熱パネルと躯体との間に形成された内部通気層が確実に確保される。
【０００８】
さらに、固定部が、一対の側壁部を有することが望ましい。
即ち、固定部が一対の側壁部から構成されることで、この側壁部間にて釘を打ち込んで、取り付け具の外方に固定する部材を躯体へ固定させることが可能となる。
【０００９】
また、側壁部の先端部に、長手方向へわたって係合溝が形成され、前記カバー材のカバー部には、前記係合溝に係合可能な係止突条が形成されていることが望ましい。
このように、カバー材のカバー部に形成された係止突条を、固定部を構成する側壁部の先端部に形成された係合溝へ係合させることにより、極めて容易に、カバー材が断熱パネル保持材に取り付けられて、断熱パネルが保持される。
【００１０】
また、断熱パネルの角部が合わさる部分における前記カバー材は、前記角部を覆うカバー部と、互いに直交する方向に形成されて、前記断熱パネル同士の間にて直交する断熱パネル保持材の固定部にそれぞれ係合可能な係止突条とを有する角部用カバー材とされていることが望ましい。
このように、断熱パネルの角部が合わさる部分に、角部用カバー材を取り付けることにより、この角部における断熱パネルの保持及び気密が容易に行われる。
【００１１】
また、固定部の両側部に、前記断熱パネルの端部へ密着する密着片が長手方向へわたって設けられていることが望ましい。
つまり、固定部へ断熱パネルの端部を当接させることにより、固定部の両側部に設けられた密着片が断熱パネルの端部に密着され、断熱パネル保持材と断熱パネルとの間における良好な気密状態が容易に確保される。
【００１２】
請求項８記載の外壁構造は、躯体の外側に複数の断熱パネルが配設されてなる建築物の外壁構造であって、ベース板と、複数の連通孔が形成され、前記ベース板から外方へ突出された固定部とを有した樹脂製の断熱パネル保持材が、前記ベース板を躯体に固定することにより取り付けられ、該断熱パネル保持材の前記固定部の両側部に、前記躯体への取り付け面側に複数の突起が形成されてこれら突起間が溝部とされた断熱パネルがその端部を前記固定部に当接した状態に配設され、前記断熱パネルとの当接面側に気密材が設けられたカバー部を有する樹脂製のカバー材が前記断熱パネル保持材の固定部に固定され、該カバー材の外面側に通気胴縁を介して外壁板が固定され、前記断熱パネルの躯体への取り付け面側に内部通気層が形成され、前記断熱パネルと前記外壁板との間に外部通気層が形成されていることを特徴としている。
【００１３】
このように、躯体に固定された樹脂製の断熱パネル保持材の固定部の両側部に断熱パネルの端部が当接されて配設された状態にて、断熱パネル保持材の固定部へ樹脂製のカバー材が取り付けられて、断熱パネルが、その端部が取り付け具によって保持された状態に取り付けられているので、建築物の外壁への断熱パネルの取り付け作業効率が大幅に向上され、工期短縮が図られる。しかも、断熱パネルの端部が固定部の両側部にそれぞれ当接され、さらに、カバー材の断熱パネルとの当接面に気密材が設けられているので、取り付け具と断熱パネルとの間の気密状態が確実に確保される。
つまり、躯体の外面側に取り付けられた断熱パネルによって外壁板との間に形成された外部通気層と、断熱パネルの内側の内部通気層とが確実に気密され、しかも、断熱パネルによって内外が効率良く断熱された外壁構造とすることができる。
【００１４】
また、建築物のコーナー部分に、そのコーナーの角度に対応した角度に屈曲されかつ前記躯体への取り付け面側に複数の突起が形成されてこれら突起間が溝部とされたコーナー用断熱パネルが配設され、該コーナー用断熱パネルの両側端部が前記取り付け具の前記断熱パネル保持材と前記カバー材とによって保持されていることが望ましい。
これにより、コーナー用断熱パネルによって建築物のコーナー部分における良好な断熱性が確実に確保され、しかも、このコーナー用断熱パネルもその両側端部が取り付け具によって保持されて気密されているので、コーナー部分における良好な気密性も確実に確保される。
【００１５】
【発明の実施の形態】
以下、本発明の建築物の外壁における断熱パネルの取り付け具及び外壁構造の実施の形態例を図によって説明する。
図１において、符号１は、断熱パネルである。これら断熱パネル１は、躯体２の外側に複数整列させて配設されたもので、これら断熱パネル１のさらに外方側に外壁板３が配設されている。
そして、これら断熱パネル１の躯体２側には、居室４を囲う内壁５との間に内部通気層６が形成されており、また、断熱パネル１の外壁板３側には、外部通気層７が形成されている。
【００１６】
断熱パネル１は、図２及び図３に示すように、躯体２側に、複数の六角形状の突起８を有するもので、これら突起８同士の間が溝部９とされている。
これにより、土台１１部分では、断熱パネル１の溝部９を通して、内部通気層である床下空間１２と一階部分の内部通気層６とが連通され、また、梁１３部分では、断熱パネル１の溝部９を通して、一階部分及び二階部分の内部通気層６同士が互いに連通されるようになっている。
また、断熱パネル１と外壁板３との間には、上下方向に沿って通気胴縁１４が設けられており、この通気胴縁１４によって、前記外部通気層７が確保されるようになっている。
なお、突起８は、六角形状とは限らず、丸、四角など縦横に溝部９が形成されるならば如何なる形状でも良い。
【００１７】
そして、これら断熱パネル１は、図４及び図５に示すように、その周縁部が断熱パネル取り付け具（取り付け具）２０によって保持されている。
次に、断熱パネル１を保持する断熱パネル取り付け具２０について説明する。図６に示すように、断熱パネル取り付け具２０は、躯体２に固定される樹脂製の断熱パネル保持材２１と、外方側から断熱パネル保持材２１へ取り付けられることにより、断熱パネル保持材２１同士の間に配設された断熱パネル１を固定する樹脂製のカバー材２２とから構成されている。
【００１８】
断熱パネル保持材２１は、躯体２に固定されるベース板部２３と、このベース板部２３に立設された固定部２４とを有している。固定部２４は、一対の側壁部２５を有しており、これら側壁部２５の先端部分には、それぞれ係合溝２５ａが形成されている。
これら係合溝２５ａは、その内面が、長手方向へ沿って複数の段部２５ｂを有するノコ歯状に形成されている。また、これら側壁部２５同士の間には、発泡ウレタン等の断熱性を有する充填材２６が充填されている。
【００１９】
また、断熱パネル保持材２１には、側壁部２５の側部に、軟質塩化ビニル等からなる一対の密着片２７が一体に成形されており、これら密着片２７が、断熱パネル１の端部に当接して密着するようになっている。
この断熱パネル保持材２１には、ベース板部２３近傍における固定部２４に、長手方向へ間隔をあけて複数の連通孔２８が形成されており、断熱パネル１に形成された溝部９と連通するようになっている。
【００２０】
カバー材２２は、平板状に形成されたカバー部３１を有するもので、このカバー部３１の下面側には、長手方向へ沿って一対の係止突条３２が形成されている。これら係止突条３２は、前記断熱パネル保持材２１の側壁部２５に形成された係合溝２５ａへ嵌合するようになっており、これら係止突条３２には、係合溝２５ａの内面に形成された段部２５ｂと係合する複数の段部３２ａが長手方向へ沿って形成されている。
【００２１】
このカバー材２２には、カバー部３１の下面側に、気密材３３が長手方向へ沿って設けられ、また、このカバー材２２には、カバー部３１の両側端部に、長手方向へ沿って軟質塩化ビニル等からなる一対の密閉片３４が一体に成形されている。
そして、係止突条３２を係合溝２５ａへ嵌合させて、このカバー材２２を断熱パネル保持材２１へ固定した際に、気密材３３及び密閉片３４が、それぞれ断熱パネル１の表面に密着するようになっている。
【００２２】
また、断熱パネル１の角部には、図７に示すような、角部用カバー材４１が用いられている。この角部用カバー材４１は、平面視六角形に形成された平板状のカバー部４２を有するもので、このカバー部４２の下面側には、段部４３ａを有する一対の係止突条４３が形成されている。また、このカバー部４２の下面側には、前記係止突条４３に対して隙間をあけてかつ直交する向きに、段部４４ａを有する他の一対の係止突条４４が形成されている。
カバー部４２の下面側には、係止突条４３、４４の両側部に、気密材４５が設けられており、それぞれカバー部４２の周縁部からはみ出している。なお、係止突条４４の両側部に配設された気密材４５は、係止突条４３の両側部に配設された気密材４５に重ね合わされている。
【００２３】
図８は、土台１１へ固定させた断熱パネル取り付け具２０による断熱パネル１の保持構造を示すもので、図９及び図１０は、それぞれ柱４５及び間柱４６へ固定させた断熱パネル取り付け具２０による断熱パネル１の保持構造を示すものである。
また、図１１は、柱４５あるいは間柱４５に対して交差する方向に固定させた断熱パネル取り付け具２０による断熱パネル１の保持構造を示すものである。
【００２４】
図に示されるように、断熱パネル取り付け具２０を構成する断熱パネル保持材２１は、そのベース板部２３が釘３８等を打ち込むことにより土台１１、柱４５あるいは間柱４６へ固定されている。なお、間柱４６には、その両側部に、受け木４７が設けられ、これら受け木４７へ釘３８を打ち込むことにより、断熱パネル保持材２１が間柱４５へ取り付けられている。
【００２５】
また、図８において、符号６１は、基礎であり、この基礎６１上に、天端６２を介して土台１１が設置されている。なお、天端６２は、基礎６１の長手方向へ間隔をあけて設けられ、これらの天端６２同士の間にて床下空間１２と内部通気層６とが連通されている。また、基礎６１の内外面には、それぞれ基礎断熱材６３が配設され、外面側の基礎断熱材６３には、その表面にラスモルタル層６４が設けられており、このラスモルタル層６４の上端部には、水切り６５が設けられている。
なお、躯体２を構成する梁１３に、上記と同様に断熱パネル取り付け具２０によって断熱パネル１が取り付けられる場合もある。
【００２６】
このように取り付けられた断熱パネル保持材２１には、その両側部に断熱パネル１が配設されている。また、断熱パネル保持材２１には、その外方側からカバー材２２が固定されており、このカバー材２２のカバー部３１と断熱パネル保持材２１のベース板部２３とによって断熱パネル１の端部が挟持されて固定されている。
また、断熱パネル取り付け具２０によって躯体２に取り付けられた断熱パネル１には、その外方側に通気胴縁１４が配設されており、この通気胴縁１４は、その外方から断熱パネル取り付け具２０の中心を通り、躯体２を構成する土台１１、柱４５あるいは間柱４６へねじ込まれたタッピングビス３９等によって固定されている。
【００２７】
さらに、断熱パネル１の外方側には、外壁板３が配設されており、この外壁板３は、その外側から通気胴縁１４へ打ち込まれた釘３８等によって固定されている。なお、外壁板３同士の間は、コーキング材６７によってコーキング処理されている。
【００２８】
次に、外壁のコーナー部分の構造を説明する。
図１２において、符号５１は、コーナー用断熱パネルである。このコーナー用断熱パネル５１は、断面視直角に形成されたもので、図１３に示すように、その内面側には、上下方向へわたって複数の突起５２が間隔をあけて形成され、これら突起５２の間が内部通気層６を形成する溝部５３とされている。
【００２９】
そして、このコーナー用断熱パネル５１は、断熱パネル取り付け具２０によって躯体２に取り付けられている。つまり、このコーナー用断熱パネル５１の両側部がカバー材２２のカバー部３１と断熱パネル保持材２１のベース板２３とによって挟持されて固定されている。そして、このコーナー用断熱パネル５１の溝部５３が、断熱パネル保持材２１の固定部２４に形成された連通孔２８と連通するようになっている。
【００３０】
次に、断熱パネル１を躯体２へ取り付けて建築物の外壁を構築する場合について、施工手順に沿って説明する。
（１）断熱パネル保持材２１の取り付け
まず、図１４に示すように、断熱パネル取り付け具２０の断熱パネル保持材２１を躯体２を構成する土台１１に取り付ける。さらに、図１５に示すように、断熱パネル保持材２１を、柱４５、間柱４６に取り付け、その後、図１６に示すように、柱４５、間柱４６に取り付けた断熱パネル保持材２１同士の間にて、横方向へ断熱パネル保持材２１を取り付ける。なお、断熱パネル保持材２１は、梁１３に取り付けて横方向に設置する場合もある。
【００３１】
このようにすると、躯体２の外側に、断熱パネル保持材２１によって矩形状の嵌め込みスペースが形成される。
なお、断熱パネル保持材２１同士の交差部分においては、後から取り付ける断熱パネル保持材２１の端部を、先に取り付けた断熱パネル保持材２１のベース板部２３に重ねる。
【００３２】
（２）断熱パネル１の嵌め込み
上記作業によって形成された矩形状の嵌め込みスペースへ、図１７に示すように、矩形状に形成された断熱パネル１を嵌め込む。なお、土台１１の下方側には、基礎６１の外面に設けられた基礎断熱材６３と断熱パネル保持材２１との間へ長尺状に形成した断熱パネル１を嵌め込む。また、外壁のコーナー部分においては、コーナー用断熱パネル５１を嵌め込む。
【００３３】
このようにすると、断熱パネル１の端部によって断熱パネル保持材２１の固定部２４の側面に形成された密着片２７がベース板部２３側へ引き込まれる。これにより、この密着片２７は、その復元力によって断熱パネル１の端部に確実に密着した状態となり、断熱パネル１、コーナー用断熱パネル５１が断熱パネル保持材２１によって躯体２の外面に保持される。
【００３４】
（３）角部用カバー材４１の取り付け
上記のようにして断熱パネル１を躯体２の外面に保持させたら、図１８に示すように、これら断熱パネル１の角部に、角部用カバー材４１を取り付ける。
つまり、この角部用カバー材４１のカバー部４２に形成された係止突条４３、４４を、それぞれ断熱パネル保持材２１の側壁部２５に形成された係合溝２５ａへ挿入する。
【００３５】
このようにすると、この係合溝２５ａ内へ係止突条４３、４４が嵌合し、これら係止突条４３、４４に形成された段部４３ａ、４４ａと係合溝２５ａに形成された段部２５ｂとが互いに係合することにより、角部用カバー材４１が断熱パネル保持材２１へ確実に固定される。
そして、このように、角部用カバー材４１を固定すると、この角部用カバー材４１のカバー部４２に設けられた気密材４５が断熱パネル１の表面に密着し、この角部における確実な気密性が確保される。
【００３６】
（４）カバー材２２の取り付け
次いで、図１９に示すように、角部用カバー材４１同士の間に、カバー材２２を取り付ける。
つまり、カバー材２２のカバー部３１に形成された係止突条３２を、断熱パネル保持材２１の側壁部２５に形成された係合溝２５ａへ挿入する。
このようにすると、この係合溝２５ａ内へ係止突条３２が嵌合し、この係止突条３２に形成された段部３２ａと係合溝２５ａに形成された段部２５ｂとが互いに係合することにより、カバー材２２が断熱パネル保持材２１へ確実に固定される。
【００３７】
そして、このように、カバー材２２を固定すると、このカバー材２２のカバー部２３に設けられた気密材３３が断熱パネル１の表面に密着し、断熱パネル１同士の間における確実な気密性が確保される。
また、外壁のコーナー部分においても、コーナー用断熱パネル５１の表面にカバー材２２のカバー部２３に設けられた気密材３３が密着し、コーナー用断熱パネル５１と断熱パネル１との間における確実な気密性が確保される。
【００３８】
（５）通気胴縁１４の取り付け
その後、上下方向に沿って、断熱パネル取り付け具２０に重ねて通気胴縁１４を配設し、通気胴縁１４の外方側からタッピングビス３９を、断熱パネル取り付け具２０の中心を通るように柱４５、間柱４６へ打ち込む。
【００３９】
（６）外壁板３の取り付け
さらに外方側に外壁板３を整列させて配設し、これら外壁板３の縁部から釘３８を打ち込み、通気胴縁１４へ固定する。
その後、外壁板３同士の隙間にコーキング６７を充填する。
上記（１）〜（６）の作業を行うことにより、断熱パネル１、コーナー用断熱パネル５１が設けられた通気構造を有する外壁が構築される。
【００４０】
以上、説明したように、上記断熱パネル取り付け具２０によれば、躯体２に固定した樹脂製の断熱パネル保持材２１の固定部２４の両側部に断熱パネル１の端部を当接させて配設した状態にて、断熱パネル保持材２１の固定部２４へ樹脂製のカバー材２２を取り付けることにより、極めて容易に、断熱パネル１を、その端部が断熱パネル取り付け具２０によって保持された状態に取り付けることができる。
これにより、建築物の外壁への断熱パネル１の取り付け作業効率を大幅に向上させることができ、工期短縮を図ることができる。
【００４１】
つまり、断熱パネル取り付け具２０を用いて構築された外壁構造によれば、断熱パネル取り付け具２０によって断熱パネル１を躯体２の外面側に取り付けることにより、断熱パネル１によって外壁板３との間に形成された外部通気層７と、断熱パネル１の内側の内部通気層６とが確実に気密され、しかも、断熱パネル１によって内外が効率良く断熱された外壁とすることができる。
【００４２】
また、カバー材２２の断熱パネル１との当接面に気密材３３が設けられているので、断熱パネル取り付け具２０と断熱パネル１との間の気密状態を確実に確保することができる。即ち、断熱パネル１同士の間において気密シートを貼るような煩雑な作業を行うことなく、確実な気密状態が確保された断熱性に優れた外壁構造を得ることができる。
【００４３】
さらには、釘によって断熱パネル１を躯体２へ打ち付けるものと比較して、釘を介して内部と外部との間で熱が伝達されることにより生じる釘の結露による悪影響を少なくすることができる。
また、断熱パネル１の躯体２側への取り付け面に形成された溝部９同士が、断熱パネル保持材２１の固定部２４に形成された連通孔２８を介して互いに連通するので、断熱パネル１と躯体２との間に形成された内部通気層６を確実に確保することができる。
【００４４】
しかも、固定部２４が一対の側壁部２５から構成され、これら側壁部２５内に断熱性を有する充填材２６が充填されているので、この側壁部２５間にてタッピングビス３９を打ち込んで、断熱パネル取り付け具２０あるいは断熱パネル取り付け具２０の外方に固定する通気胴縁１４を躯体２へ固定させることができる。
【００４５】
また、カバー材２２、角部用カバー材４１のカバー部２３、４２に形成された係止突条３２、４３、４４を、固定部２４を構成する側壁部２５の先端部に形成された係合溝２５ａへ係合させることにより、極めて容易に、カバー材２２、角部用カバー材４１を断熱パネル保持材２１に取り付けて、断熱パネル１を保持させることができる。
【００４６】
しかも、断熱パネル保持材２１の固定部２４を構成する側壁部２５に形成された係合溝２５ａ及びカバー材２２、角部用カバー材４１に形成された係止突条３２、４３、４４に、それぞれ互いに係合する段部２５ｂ、３２ａ、４３ａ、４４ａが形成されているので、係合溝２５ａへの係止突条３２、４３、４４の係合力を大幅に高めることができ、カバー材２２、角部用カバー材４１の気密材３３、４５を確実に断熱パネル１へ密着させることができる。
【００４７】
また、断熱パネル１の角部が合わさる部分に、角部用カバー材４１を取り付けることにより、この角部における断熱パネル１の保持及び気密を容易に行うことができる。
さらに、固定部２４へ断熱パネル１の端部を当接させることにより、固定部２４の両側部に設けられた密着片２７が断熱パネル１の端部に密着することにより、断熱パネル保持材２１と断熱パネル１との間における良好な気密状態を容易に確保することができる。
【００４８】
【発明の効果】
以上、説明したように、本発明の建築物の外壁における断熱パネルの取り付け具及び外壁構造によれば、下記の効果を得ることができる。
請求項１記載の建築物の外壁における断熱パネルの取り付け具によれば、躯体に固定した樹脂製の断熱パネル保持材の固定部の両側部に断熱パネルの端部を当接させて配設した状態にて、断熱パネル保持材の固定部へ樹脂製のカバー材を取り付けることにより、極めて容易に、断熱パネルを、その端部が取り付け具によって保持された状態に取り付けることができる。
これにより、建築物の外壁への断熱パネルの取り付け作業効率を大幅に向上させることができ、工期短縮を図ることができる。
【００４９】
また、カバー材の断熱パネルとの当接面に気密材が設けられているので、取り付け具と断熱パネルとの間の気密状態を確実に確保することができる。即ち、断熱パネル同士の間において気密シートを貼るような煩雑な作業を行うことなく、確実な気密状態が確保された断熱性に優れた外壁構造を得ることができる。
さらには、釘によって断熱パネルを打ち付けるものと比較して、釘を介して内部と外部との間で熱が伝達されることにより生じる釘の結露による悪影響を少なくすることができる。
【００５０】
請求項２記載の建築物の外壁における断熱パネルの取り付け具によれば、取り付け具によって躯体の外方に配設されて保持された断熱パネルの躯体側への取り付け面に形成された溝部同士が、断熱パネル保持材の固定部に形成された連通孔を介して互いに連通するので、断熱パネルと躯体との間に形成された内部通気層を確実に確保することができる。
【００５１】
また、固定部が一対の側壁部から構成されいるものであると、この側壁部間にて釘を打ち込んで、取り付け具の外方に固定する部材を躯体へ固定させることができる。
【００５２】
請求項５記載の建築物の外壁における断熱パネルの取り付け具によれば、カバー材のカバー部に形成された係止突条を、固定部を構成する側壁部の先端部に形成された係合溝へ係合させることにより、極めて容易に、カバー材を断熱パネル保持材に取り付けて、断熱パネルを保持させることができる。
【００５３】
請求項６記載の建築物の外壁における断熱パネルの取り付け具によれば、断熱パネルの角部が合わさる部分に、角部用カバー材を取り付けることにより、この角部における断熱パネルの保持及び気密を容易に行うことができる。
【００５４】
請求項７載の建築物の外壁における断熱パネルの取り付け具によれば、固定部へ断熱パネルの端部を当接させることにより、固定部の両側部に設けられた密着片が断熱パネルの端部に密着し、断熱パネル保持材と断熱パネルとの間におけるさらなる良好な気密状態を容易に確保することができる。
【００５５】
請求項８記載の建築物の外壁構造によれば、躯体に固定された樹脂製の断熱パネル保持材の固定部の両側部に断熱パネルの端部が当接されて配設された状態にて、断熱パネル保持材の固定部へ樹脂製のカバー材が取り付けられて、断熱パネルが、その端部が取り付け具によって保持された状態に取り付けられているので、建築物の外壁への断熱パネルの取り付け作業効率が大幅に向上され、工期短縮が図られる。しかも、カバー材の断熱パネルとの当接面に気密材が設けられているので、取り付け具と断熱パネルとの間の気密状態を確実に確保することができる。即ち、断熱パネル同士の間において気密シートを貼るような煩雑な作業を行うことなく、確実な気密状態が確保された断熱性に優れた外壁構造とすることができる。
【００５６】
さらには、釘によって断熱パネルを打ち付けたものと比較して、釘を介して内部と外部との間で熱が伝達されることにより生じる釘の結露による悪影響を少なくすることができる。
つまり、躯体の外面側に取り付けられた断熱パネルによって外壁板との間に形成された外部通気層と、断熱パネルの内側の内部通気層とが確実に気密され、しかも、断熱パネルによって内外が効率良く断熱された外壁構造とすることができる。
【００５７】
請求項９記載の建築物の外壁構造によれば、コーナー用断熱パネルによって建築物のコーナー部分における良好な断熱性を確実に確保することができ、しかも、このコーナー用断熱パネルもその両側端部が取り付け具によって保持されて気密されているので、コーナー部分における良好な気密性も確実に確保することができる。
【図面の簡単な説明】
【図１】本発明の実施の形態の断熱パネルの取り付け具及び外壁構造を説明する外壁の断面図である。
【図２】本発明の実施の形態の断熱パネルの取り付け具及び外壁構造に用いられる断熱パネルの形状を説明する断熱パネルの平面図である。
【図３】本発明の実施の形態の断熱パネルの取り付け具及び外壁構造に用いられる断熱パネルの形状を説明する断熱パネルの断面図である。
【図４】本発明の実施の形態の断熱パネルの取り付け具及び外壁構造を説明する躯体に配設された断熱パネルの内面側から視た平面図である。
【図５】本発明の実施の形態の断熱パネルの取り付け具及び外壁構造を説明する躯体に配設された断熱パネルの外面側から視た平面図である。
【図６】本発明の実施の形態の断熱パネルの取り付け具及び外壁構造にて用いられる断熱パネル取り付け具の構成及び構造を説明する断熱パネル取り付け具の分解斜視図である。
【図７】本発明の実施の形態の断熱パネルの取り付け具及び外壁構造にて用いられる断熱パネル取り付け具を構成する角部用カバー材を説明する角部用カバー材の斜視図である。
【図８】本発明の実施の形態の断熱パネルの取り付け具及び外壁構造を説明する外壁の土台部分の断面図である。
【図９】本発明の実施の形態の断熱パネルの取り付け具及び外壁構造を説明する外壁の柱部分の断面図である。
【図１０】本発明の実施の形態の断熱パネルの取り付け具及び外壁構造を説明する外壁の間柱部分の断面図である。
【図１１】本発明の実施の形態の断熱パネルの取り付け具及び外壁構造を説明する外壁の柱あるいは間柱に沿う断面図である。
【図１２】本発明の実施の形態の断熱パネルの取り付け具及び外壁構造を説明する外壁のコーナー部分の断面図である。
【図１３】本発明の実施の形態の断熱パネルの取り付け具及び外壁構造を説明する外壁のコーナー部分に用いられているコーナー用断熱パネルの斜視図である。
【図１４】本発明の実施の形態の断熱パネルの取り付け具及び外壁構造における外壁の施工状態を説明する外方から視た構築途中の外壁の概略正面図である。
【図１５】本発明の実施の形態の断熱パネルの取り付け具及び外壁構造における外壁の施工状態を説明する外方から視た構築途中の外壁の概略正面図である。
【図１６】本発明の実施の形態の断熱パネルの取り付け具及び外壁構造における外壁の施工状態を説明する外方から視た構築途中の外壁の概略正面図である。
【図１７】本発明の実施の形態の断熱パネルの取り付け具及び外壁構造における外壁の施工状態を説明する外方から視た構築途中の外壁の概略正面図である。
【図１８】本発明の実施の形態の断熱パネルの取り付け具及び外壁構造における外壁の施工状態を説明する外方から視た構築途中の外壁の概略正面図である。
【図１９】本発明の実施の形態の断熱パネルの取り付け具及び外壁構造における外壁の施工状態を説明する外方から視た構築途中の外壁の概略正面図である。
【符号の説明】
１  断熱パネル
２  躯体
３  外壁板
６  内部通気層
７  外部通気層
８  突起
９  溝部
１４  通気胴縁
２０  断熱パネル取り付け具（取り付け具）
２１  断熱パネル保持材
２２  カバー材
２３  ベース板
２４  固定部
２５  側壁部
２５ａ  係合溝
２６  充填材
２７  密着片
２８  連通孔
３１  カバー部
３２  係止突条
３３  気密材
４１  角部用カバー材
４２  カバー部
４３、４４  係止突条
４５  気密材
５１  コーナー用断熱パネル
５２  突起
５３  溝部
【図１】
0003585747.tif 000002
【図２】
0003585747.tif 000003
【図３】
0003585747.tif 000004
【図４】
0003585747.tif 000005
【図５】
0003585747.tif 000006
【図６】
0003585747.tif 000007
【図７】
0003585747.tif 000008
【図８】
0003585747.tif 000009
【図９】
0003585747.tif 000010
【図１０】
0003585747.tif 000011
【図１１】
0003585747.tif 000012
【図１２】
0003585747.tif 000013
【図１３】
0003585747.tif 000014
【図１４】
0003585747.tif 000015
【図１５】
0003585747.tif 000016
【図１６】
0003585747.tif 000017
【図１７】
0003585747.tif 000018
【図１８】
0003585747.tif 000019
【図１９】
0003585747.tif 000020